(57)【要約】【課題】負荷のオン・オフを自動化しながらもオン・オフの時刻を日毎に自動的に変化させることにより、留守宅であることを気付かれにくくする。【解決手段】リモコン送信器１は負荷Ｌｄの動作を制御するワイヤレス信号を送信する。操作部１２では、負荷Ｌｄのオンとオフとの動作を対にしオンおよびオフの時刻に対応付けたタイムスケジュールを設定する。操作部１２で設定したタイムスケジュールは記憶部１３に記憶される。制御部１０は、時計部１３により計時される現在時刻が、記憶部１３に記憶されたタイムスケジュールに設定された時刻に対して規定の時間範囲内で日毎に不規則に変化させた時刻と一致するときに当該タイムスケジュールのオンとオフとの指示に従って負荷Ｌｄを制御する。【選択図】        図１
2006238400.tif 000002
【特許請求の範囲】
【請求項１】
負荷の動作を制御するワイヤレス信号を送信するリモコン送信器であって、負荷のオンとオフとの動作を対にしオンおよびオフの時刻に対応付けたタイムスケジュールを手操作により設定可能な操作部と、操作部で設定したタイムスケジュールを記憶する記憶部と、現在時刻を計時する時計部と、時計部により計時される時刻が、記憶部に記憶されたタイムスケジュールに設定された時刻に対して規定の時間範囲内で日毎に不規則に変化させた時刻と一致するときに当該タイムスケジュールのオンとオフとの指示に従って負荷を制御する制御部とを備えることを特徴とするリモコン送信器。
【請求項２】
前記操作部は、前記タイムスケジュールの時刻を設定する際に時刻を前後させるように押操作される２個のスイッチを有しており、前記制御部は、タイムスケジュールを設定する設定モードと、タイムスケジュールに従って動作する自動モードと、操作部の操作に応じて前記負荷の動作を指示するワイヤレス信号を送信させる通常モードとが選択可能であって、通常モードでは、スイッチの操作によって負荷の出力の大きさを指示する内容のワイヤレス信号を送信させることを特徴とする請求項１記載のリモコン送信器。
【請求項３】
人体から放射される熱線を感知することにより周辺における人の存否を検出する人感センサが付加され、前記制御部は、人感センサにより人の存在が検知されると前記負荷をオンにする内容のワイヤレス信号を送信させ、かつ人感センサによる人の存在の検知から規定した時間毎に人の存否を確認するとともに確認時に人の存在が検知されないと負荷をオフにする内容のワイヤレス信号を送信させることを特徴とする請求項１または請求項２記載のリモコン送信器。
【請求項４】
周辺における所定の音圧以上の音波を検出する音センサが付加され、前記制御部は、音センサにより音波が検出されると前記負荷をオンにする内容のワイヤレス信号を送信させ、かつ音センサによる音波の検知から規定した時間毎に音波の存否を確認するとともに確認時に音波が検知されないと負荷をオフにする内容のワイヤレス信号を送信させることを特徴とする請求項１または請求項２記載のリモコン送信器。
【請求項５】
器体内に電源となる二次電池を内蔵するとともに、不使用時に器体を載せ置くクレドルから二次電池への充電電力が供給されることを特徴とする請求項１ないし請求項４のいずれか１項に記載のリモコン送信器。
【請求項６】
前記制御部は、それぞれ異なる種類の負荷に対応した複数種類のワイヤレス信号を送信させることが可能であって、各負荷にそれぞれ対応するワイヤレス信号を前記タイムスケジュールのオンとオフとの指示に従って順次送信させることを特徴とする請求項１ないし請求項５のいずれか１項に記載のリモコン送信器。
【請求項７】
板状であって周部に電極を有する表示器を器体内に備え、器体は、一面が開放されたボディと、ボディの開放面に覆着されるとともに表示器を露出させる窓孔が開口したプリント基板とで構成されており、表示器は、当該プリント基板に実装されることを特徴とする請求項１ないし請求項６のいずれか１項に記載のリモコン送信器。
【発明の詳細な説明】
【技術分野】
【０００１】
本発明は、負荷の動作を制御するワイヤレス信号を送信し負荷をタイムスケジュールに従って動作させるリモコン送信器に関するものである。
【背景技術】
【０００２】
従来から、赤外線などを媒体に用いたワイヤレス信号により照明負荷の動作を無線で指示するリモコン送信器が知られている。この種のリモコン送信器は、リモコン送信器に設けた操作部を操作した時点で、照明負荷の動作を操作内容に応じて変化させるものが一般的である。
【０００３】
また、録画機器のような電気機器ではリモコン送信器を用いてタイムスケジュールを設定し、録画機器の動作をタイムスケジュールに従って制御することも知られている。タイムスケジュールに従って動作する電気機器では、タイムスケジュールに従って制御するための構成は電気機器に設けられる。タイムスケジュールに従って制御するための構成とは、タイムスケジュールを格納する記憶部、現在日時を計時する時計部、時計部で計時している日時が記憶部に格納されたタイムスケジュールの日時に一致すると電気機器をタイムスケジュールに設定された動作で作動させる制御部を意味する。さらに、タイムスケジュールに従って照明負荷を動作させることも知られており、たとえば、タイムスケジュールに従って所望の時刻に照明負荷を点灯あるいは消灯させるために、タイムスケジュールを管理する機能を照明負荷あるいはリモコン送信器に設けることも考えられている（たとえば、特許文献１参照）。
【特許文献１】特開２０００−３４８８７２号公報
【発明の開示】
【発明が解決しようとする課題】
【０００４】
ところで、住宅用の照明負荷では、タイムスケジュールに従って照明負荷の動作を制御すれば、留守時において照明負荷を自動的に点灯または消灯させることができるから、家人が在宅しているかのような印象を与えることができ、空き巣のような侵入者に対する抑止効果が生じると考えられる。同様に、テレビジョン受像機や空調機器を自動的にオンまたはオフにすることにより、家人が在宅しているかのような印象を与えることができる。
【０００５】
しかしながら、一般にタイムスケジュールは固定的に設定されており、タイムスケジュールを変更しなければ、毎日同じ時刻に負荷がオンまたはオフになるから、負荷をオンまたはオフにする動作を継続していると、留守中であることを知られやすくなるという問題が生じる。
【０００６】
本発明は上記事由に鑑みて為されたものであり、その目的は、負荷を自動的にオン・オフさせるようにタイムスケジュールを設定している場合において、負荷のオン・オフの時刻を日毎に自動的に変化させることにより、留守宅であることを気付かれにくくしたリモコン送信器を提供することにある。
【課題を解決するための手段】
【０００７】
請求項１の発明は、負荷の動作を制御するワイヤレス信号を送信するリモコン送信器であって、負荷のオンとオフとの動作を対にしオンおよびオフの時刻に対応付けたタイムスケジュールを手操作により設定可能な操作部と、操作部で設定したタイムスケジュールを記憶する記憶部と、現在時刻を計時する時計部と、時計部により計時される時刻が、記憶部に記憶されたタイムスケジュールに設定された時刻に対して規定の時間範囲内で日毎に不規則に変化させた時刻と一致するときに当該タイムスケジュールのオンとオフとの指示に従って負荷を制御する制御部とを備えることを特徴とする。
【０００８】
この構成によれば、負荷のオンとオフとを制御するワイヤレス信号をタイムスケジュールに従って送信するから、ワイヤレス信号を受信して動作する負荷にタイムスケジュールの管理機能を設けることなくタイムスケジュールに従って負荷のオンまたはオフを制御することが可能になる。ここに、ワイヤレス信号を受信する構成は、負荷のハウジングの中に設けることが可能であるが、負荷のハウジングの外に設けてもよい。たとえば、後述する実施形態のように、リモコン受信器を壁スイッチのように壁に取り付けたり、シーリングローゼットに結合するリモコン受信器を用いたりすることが可能である。しかも、複数台のリモコン受信器で共用すれば、複数の場所において１台のリモコン送信器を用いるだけで上述した機能を享受することができる。さらに、負荷のオンとオフとを対にしタイムスケジュールに設定した時刻通りに負荷のオンおよびオフを行うのではなく、規定の時間範囲内において日毎のオンおよびオフの時刻を変化させるから、家屋の負荷のオンオフを家人が行っているかのような印象を外部に与えることができる。つまり、制御部では、タイムスケジュールにおいて設定した負荷のオンとオフとの時刻に対して、規定の時間（たとえば、前後１時間）の範囲内で日毎に不規則にずらした時刻を用いて負荷のオンとオフとを自動的に行うから、負荷を自動的にオンまたはオフにしながらもオンおよびオフの時刻が日々一定ではなく、人が操作しているかのような印象を与えることができる。たとえば、住宅の負荷のオンとオフとに用いることによって、宅外からは人が負荷を操作しているように見えることになり、空き巣などの侵入者に対する抑止効果が期待できる。また、タイムスケジュールを変更することなく、負荷のオンおよびオフの時刻が自動的に変更されるから、使用者にとっては手間がかからず手軽に使用することができる。
【０００９】
請求項２の発明では、請求項１の発明において、前記操作部は、前記タイムスケジュールの時刻を設定する際に時刻を前後させるように押操作される２個のスイッチを有しており、前記制御部は、タイムスケジュールを設定する設定モードと、タイムスケジュールに従って動作する自動モードと、操作部の操作に応じて前記負荷の動作を指示するワイヤレス信号を送信させる通常モードとが選択可能であって、通常モードでは、スイッチの操作によって負荷の出力の大きさを指示する内容のワイヤレス信号を送信させることを特徴とする。
【００１０】
この構成によれば、２個のスイッチを負荷の出力の調節と、タイムスケジュールを設定する際の時刻設定とに兼用しているから、負荷の出力の調節と時刻設定とに個別にスイッチを設ける場合に比較すると、操作部におけるスイッチの個数を低減させることができる。負荷の出力は、負荷が照明負荷であれば光出力を意味し、負荷が音響機器であれば音量などを意味し、あるいはまた映像機器のチャンネルや空調機器の温度も含む。
【００１１】
請求項３の発明では、請求項１または請求項２の発明において、人体から放射される熱線を感知することにより周辺における人の存否を検出する人感センサが付加され、前記制御部は、人感センサにより人の存在が検知されると前記負荷をオンにする内容のワイヤレス信号を送信させ、かつ人感センサによる人の存在の検知から規定した時間毎に人の存否を確認するとともに確認時に人の存在が検知されないと負荷をオフにする内容のワイヤレス信号を送信させることを特徴とする。
【００１２】
この構成によれば、人感センサにより人の存在が検知されると負荷をオンにし、その後、規定した時間毎に人の存否を確認し、確認時に人の存在が検出されなくなると負荷をオフにするから、人の存否に応じた負荷のオン・オフが可能になる。たとえば、室内に人が存在する間にのみ負荷がオンになる機能をリモコン送信器の交換のみで実現することができる。人の存否に応じて負荷をオン・オフさせる機能を付加することにより、人の存在しないときに負荷をオンにすることによる無駄な電力消費を抑制し、また、室内への侵入者に対して負荷を自動的にオンにすることで威嚇効果が期待できる。
【００１３】
請求項４の発明では、請求項１または請求項２の発明において、周辺における所定の音圧以上の音波を検出する音センサが付加され、前記制御部は、音センサにより音波が検出されると前記負荷をオンにする内容のワイヤレス信号を送信させ、かつ音センサによる音波の検知から規定した時間毎に音波の存否を確認するとともに確認時に音波が検知されないと負荷をオフにする内容のワイヤレス信号を送信させることを特徴とする。
【００１４】
この構成によれば、音波を検出すると負荷をオンにし、その後、規定した時間毎に音波の存否を確認し、確認時に音波の存在が検出されなくなると負荷をオフにするから、たとえば人が近辺に存在することによって生じる音波を検出したときに負荷をオンにするように構成しておけば、人の存否に応じた負荷のオン・オフが可能になる。すなわち、請求項３と同様の作用が期待できる。
【００１５】
請求項５の発明では、請求項１ないし請求項４の発明において、器体内に電源となる二次電池を内蔵するとともに、不使用時に器体を載せ置くクレドルから二次電池への充電電力が供給されることを特徴とする。
【００１６】
この構成によれば、電池交換の頻度が少なくなり、また不使用時にクレドルに器体を載せ置くことを忘れなければ、電池切れの可能性も少なくなる。
【００１７】
請求項６の発明では、請求項１ないし請求項５の発明において、前記制御部は、それぞれ異なる種類の負荷に対応した複数種類のワイヤレス信号を送信させることが可能であって、各負荷にそれぞれ対応するワイヤレス信号を前記タイムスケジュールのオンとオフとの指示に従って順次送信させることを特徴とする。
【００１８】
この構成によれば、タイムスケジュールに従って複数種類の負荷をまとめて制御することができる。すなわち、住宅の負荷のオンとオフとに用いる際に、たとえば照明負荷とテレビジョン受像機とを制御の対象としておけば、照明負荷とテレビジョン受像機との両方がタイムスケジュールに従ってオンまたはオフされることになるから、照明負荷とテレビジョン受像機機器とのいずれか一方だけがオンまたはオフされる場合に比べて、空き巣などの侵入者に対する抑止効果が向上する。
【００１９】
請求項７の発明では、請求項１ないし請求項６の発明において、板状であって周部に電極を有する表示器を器体内に備え、器体は、一面が開放されたボディと、ボディの開放面に覆着されるとともに表示器を露出させる窓孔が開口したプリント基板とで構成されており、表示器は、当該プリント基板に実装されることを特徴とする。
【００２０】
この構成によれば、器体の一部をプリント基板で構成し、このプリント基板に表示器を実装しているから、器体に表示器が直接実装されることになり、器体の内部において表示器を実装するためのプリント基板が不要になる。したがって、器体の内部においては、表示器を実装するためのプリント基板の分だけスペースに余裕ができるので、たとえばブザーやセンサ等の部品を実装した別のプリント基板をこのスペースに収納することができる。あるいは、表示器の厚み方向においてこのスペースの分だけ器体を薄型化することもできる。
【発明の効果】
【００２１】
本発明の構成によれば、負荷のオンとオフとを対にしタイムスケジュールに設定した時刻通りに負荷のオンおよびオフを行うのではなく、規定の時間範囲内において日毎のオンおよびオフの時刻を変化させるから、家屋の負荷のオンおよびオフを家人が行っているかのような印象を外部に与えることができるという利点がある。すなわち、負荷を自動的にオンおよびオフさせながらもオンおよびオフの時刻が日々一定ではなく、人が操作しているかのような印象を与えることができ、空き巣などの侵入者に対する抑止効果が期待できる上に、タイムスケジュールを変更することなく、負荷のオンおよびオフの時刻が自動的に変更されるから、使用者にとっては手間がかからず手軽に使用することができるという利点がある。
【発明を実施するための最良の形態】
【００２２】
（実施形態１）
本実施形態に示すリモコン送信器１は、図１に示すように、ワイヤレス信号を受けて負荷Ｌｄの動作を制御するリモコン受信器２とともに用いられる。負荷Ｌｄとしては照明負荷を想定しているが、負荷として他の電気機器を用いることも可能である。また、本実施形態は照明負荷を想定しているから、リモコン受信器２に設けた制御部２０では負荷Ｌｄの光出力を制御する調光制御が可能になっている。図示例では、制御部２０が負荷Ｌｄに供給する電力を制御する構成としているが、制御部２０から負荷Ｌｄに調光信号を与え負荷Ｌｄが調光信号に応じて調光する構成を採用することもできる。
【００２３】
リモコン受信器２は、制御部２０のほか、ワイヤレス信号を受信するワイヤレス受信部２１と、商用電源のような交流電源ＡＣからリモコン受信器２の内部電源および負荷Ｌｄへの電源を確保する電源回路２２とを備える。ワイヤレス信号は赤外線を媒体とする信号であって、ワイヤレス受信部２１はフォトトランジスタまたはフォトダイオードにより構成される。また、上述した調光の動作は必須ではなく、リモコン受信器２は照明負荷Ｌｄの点灯と消灯とを行い調光を行わない構成としてもよい。
【００２４】
ワイヤレス信号を送信するリモコン送信器１は、ワイヤレス信号を送信するワイヤレス送信部１１を備え、ワイヤレス送信部１１は制御部１０に指示された内容のワイヤレス信号を送出する。ワイヤレス送信部１１は複数個（たとえば３個）の並設された赤外線発光ダイオードを備える。制御部１０には、押操作される複数個のスイッチからなる操作部１２と、本発明の特徴であるタイムスケジュールを格納する記憶部１３と、現在時刻を計時する時計部１４と、各種表示を行う液晶表示器を備えた表示部１５とが接続される。図示例では、センサ１６も制御部１０に接続しているが、センサ１６については後述する。また、リモコン送信器１の電源部１７には電池を用いており、本実施形態では電池として一次電池を用いている。記憶部１３にはＲＡＭを用いており、電池の交換中に記憶部１３の内容が消去されないように、電池を抜いてから所定時間（１分程度）は記憶部１３の内容が保持されるように電源部１７を構成してある。この種の電源部１７の構成としてはコンデンサを用いるものが知られている。
【００２５】
リモコン送信器１は基本的には４種類の動作が可能であって、操作部１２に設けたオンオフ用のスイッチが操作された直後に負荷Ｌｄの点灯・消灯の反転を指示するワイヤレス信号を送出する通常モードと、図２（ｂ）のように、記憶部１３に記憶させたタイムスケジュールに設定された点灯の時刻ｔ１、消灯の時刻ｔ２にそれぞれ負荷Ｌｄの点灯または消灯を指示するワイヤレス信号を送出するタイマモードと、図２（ｃ）のように、記憶部１３に記憶させたタイムスケジュールでは消灯までの時間Ｔｄを設定し、操作部１２が時刻ｔ３で操作されてから設定された時間Ｔｄが経過すると負荷Ｌｄの消灯を指示するワイヤレス信号を送出するおやすみモードと、記憶部１３に記憶させたタイムスケジュールに設定された点灯および消灯の時刻ｔ４，ｔ５を基準にして実際の点灯および消灯の時刻ｔ４′，ｔ５′を日毎に変更し変更した時刻ｔ４′，ｔ５′に負荷Ｌｄの点灯または消灯を指示するワイヤレス信号を送出する留守番モードとが選択可能になっている。留守番モードの時刻ｔ４′，ｔ５′は、各時刻ｔ４，ｔ５に対してそれぞれ前後３０分の範囲内で日毎に自動的に変更される。
【００２６】
リモコン送信器１の器体３０は図３に示すように直方体状であり、器体３０の前面には、操作部１２として８個のスイッチＫ１〜Ｋ８が設けられる。器体３０は、図４に示すように、前面が開放された合成樹脂成形品のボディ３１と、ボディ３１の前面に覆着される合成樹脂成形品のプリント基板３２とで構成され、プリント基板３２の前面には略全面にわたって合成樹脂シートである銘板３３が重ねて貼着される。プリント基板３２はボディ３１に対してねじ３４を用いて固定される。また、プリント基板３２にはワイヤレス送信部１１を構成する赤外線発光ダイオード３５が実装され、さらに表示部１５を構成する板状の液晶表示器３６（表示器）が実装される。
【００２７】
液晶表示器３６はプリント基板３２の背面側に実装されており、プリント基板３２において液晶表示器３６に対応する部位には窓孔３２ａが開設されている。液晶表示器３６はプリント基板３２に対してラバーコネクタ３７を用いて接続され、液晶表示器３６の背面とボディ３１の内側面との間には緩衝材３８が配設される。さらに、液晶表示器３６の前面には透明なカバー３９が配設され、液晶表示器３６が保護される。ここで、カバー３９がプリント基板３２の窓孔３２ａに嵌め込まれることによって、液晶表示器３６とプリント基板３２とカバー３９とを合わせた厚み寸法を、液晶表示器３６とプリント基板３２とを合わせた厚み寸法程度に抑えている。これにより、プリント基板３２の厚み方向において器体３０の薄型化を可能としている。
【００２８】
ただし、液晶表示器３６を省略した構成を採用することもでき、この場合には、液晶表示器３６の代わりに、ブザー５６を設けた実装基板５７（図５（ｂ）参照）、あるいは後述する人感センサあるいは音センサからなるセンサ１６を設けた実装基板５８（図５（ｃ）参照）などをラバーコネクタ３７を用いてプリント基板３２の背面に実装することができる。
【００２９】
また、各スイッチＫ１〜Ｋ８は、いわゆるメンブレンスイッチであって、スイッチＫ１〜Ｋ８として機能する部位でプリント基板３２と銘板３３との間に微小な隙間が生じるように銘板３３を成形し、さらにプリント基板３２の前面の金フラッシュ印刷部からなる固定接点と、銘板３３の背面のカーボン印刷からなる可動接点とを対向させた構成を有している。したがって、スイッチＫ１〜Ｋ８に対応する部位で銘板３３を押せば可動接点が固定接点に接触し、銘板３３に作用させる押圧力を除去すれば銘板３３の弾性で可動接点が固定接点から離れる。
【００３０】
スイッチＫ１は入切用であり、スイッチＫ１は押操作毎に負荷Ｌｄの点灯・消灯の反転を指示する。つまり、スイッチＫ１は上述した通常モードにおいて用いられる。
【００３１】
ところで、液晶表示器３６を備えたリモコン送信器１’は従来からも提供されているが、従来のリモコン送信器１’では、図１３に示すように、液晶表示器３６を器体３０’の前面側から視認可能とするためにプリント基板３２’の前面側に液晶表示器３６を実装した構成が一般的である。この構成において液晶表示器３６を器体３０’の前面から突出しないようにするためには、液晶表示器３６を実装したプリント基板３２’を器体３０’の前面から後退させる必要がある。したがって、操作部１２となるメンブレンスイッチを設けたプリント基板３２と液晶表示器３６を実装したプリント基板３２’とは分離され、両プリント基板３２，３２’を互いに一部が厚み方向に対向するように配置した状態で、両プリント基板３２，３２’がラバーコネクタ３７’等で接続される。この種のリモコン装置１’に比較して、本実施形態のように、１枚のプリント基板３２に対して液晶表示器３６を実装するとともに操作部１２を設けたリモコン送信器１は、液晶表示器３６のみを実装するプリント基板３２’が不要であるから、プリント基板３２’の分だけ器体３０の薄型化が可能である。さらに、プリント基板３２，３２’同士を接続するラバーコネクタ３７’が不要であって、組み立ても簡単であるから、製造コストを削減できるという利点もある。
【００３２】
上述したように、カバー３９を窓孔３２ａに嵌め込むとともにメンブレンスイッチを採用し、かつ１枚のプリント基板３２に対して液晶表示器３６を実装するとともに操作部１２を設けたことにより器体３０を薄型化することは可能であるが、本実施形態では、プリント基板３２の厚み方向における器体３０の寸法を電池の寸法に合わせて設定することにより、人が握りやすい程度の厚み寸法の器体３０を実現している。したがって、図５に示すように、液晶表示器３６の背面とボディ３１の背面との間には隙間５９が形成されることになる。この隙間に対応する器体３０の背面には、リモコン送信器１を握った状態で人の指が引っ掛かる凹部６２が凹設される。ここでは、隙間５９にはとくに部品などを配置していないが、上述したようなブザー５６を設けた実装基板５７や、センサ１６を設けた実装基板５８などを、液晶表示器３６を省略することなく隙間５９に配置してもよい。
【００３３】
あるいは、隙間５９をなくして図６に示すように、厚みの小さい直方体状すなわちカード状のリモコン送信器１を構成してもよい。図６に示すリモコン送信器１では、電池として円盤状の偏平形電池（いわゆるボタン電池）を採用している。このようなカード状のリモコン送信器１においては、器体３０の内周面における背面側の一部に、図６（ｂ）に示すように永久磁石６３を設けることにより、磁性体材料を用いたものであれば鉛直方向に沿った面であってもリモコン送信器１を吸着可能とすることが望ましい。この構成では、リモコン送信器１を載せ置く場所がなくてもリモコン送信器１をたとえば冷蔵庫の扉などの定位置に保持させることができるので、リモコン送信器１の紛失防止につながる。
【００３４】
タイマモードにおけるタイムスケジュールは、負荷Ｌｄの点灯または消灯の動作と負荷Ｌｄの動作を指示する時刻とを組にして設定する。すなわち、負荷Ｌｄが自動的に点灯する時刻（自動入時刻）と消灯する時刻（自動切時刻）とを個別に設定することができる。自動入時刻、自動切時刻のどちらを設定するかは、２個のスイッチＫ２、Ｋ３（それぞれ「自動入」「自動切」と表記してある）の一方を押操作することにより選択される。
【００３５】
おやすみモードにおけるタイムスケジュールは、点灯中の負荷Ｌｄを消灯させるまでの時間を設定する。おやすみモードはスイッチＫ４（「おやすみ」と表記してある）により選択される。おやすみモードでは、タイムスケジュールとして、遅れ消灯（オフディレイ）の時間を設定することができる。就寝前におやすみモードのタイムスケジュールを設定すれば、就寝時に負荷Ｌｄの消し忘れを防止することができる。
【００３６】
留守番モードにおけるタイムスケジュールは、タイマモードにおける自動入時刻および自動切時刻を対にした形で設定される。留守番モードの選択にはスイッチＫ５を用いる。留守番モードでは、タイムスケジュールが自動入時刻と自動切時刻とを対にして設定され、自動入時刻および自動切時刻は固定的に設定されるが、上述したように、実際にオンまたはオフに対応するワイヤレス信号が送出されるタイミングは、設定された自動入時刻および自動切時刻に対して前後３０分ずつの範囲内で日毎に変化する。ワイヤレス信号を送出するタイミングは制御部１０が制御しており、時計部１４で計時されている時刻が２４時になるたびに自動入時刻および自動切時刻を前後３０分の範囲内で不規則に変化させる。ただし、変化の単位は１０分であり、−３０分、−２０分、−１０分、−０分、＋０分、＋１０分、＋２０分、＋３０分の８段階から不規則に選択される。−０分と＋０分とは、どちらもタイムスケジュールに設定された自動入時刻あるいは自動切時刻に対して変化しないことを意味しているが、８個の数値からなる乱数を用いるために、変化なしを２段階設けている。
【００３７】
ところで、タイマモードあるいは留守番モードにおける時刻、もしくはおやすみモードにおける時間を設定するために、リモコン送信器１の操作部１２には対になる２個のスイッチＫ６，Ｋ７が設けられ、さらに設定した内容を確定したり確認したりするためのスイッチＫ８が設けられる。スイッチＫ６，Ｋ７のうち、スイッチＫ６は時刻または時間を増加させ、スイッチＫ７は時刻または時間を減少させる。時刻は２４時間を１分単位で設定でき、時間は１分、１０分、３０分、６０分、９０分、１２０分の６種類から選択できる。増減用の２個のスイッチＫ６，Ｋ７を備えるから、おやすみモードが選択されると時間として３０分から開始され、増加方向では６０分、１２０分、１分、……と変化し、減少方向では１０分、１分、１２０分、……と変化する。
【００３８】
表示部１５を構成する液晶表示器３６の画面には、図７に示すように、時刻または時間を表示する時表示領域Ｄ１と、スイッチＫ６，Ｋ７による時間または時刻の設定中にモードの種類を示すモード表示領域Ｄ２と、後述する調光レベルを表示するレベル表示領域Ｄ３とが設けられる。モード表示領域Ｄ２は、画面の上方周部に表記された「現在」「おやすみ」「留守番」の文字と、時計部１４の時刻合わせ、おやすみモードの時間設定、留守番モードの時刻設定の期間中に各文字位置を指し示す三角形（▲）のマークと、留守番モードの動作中に「留守番」の位置に表示される横棒状のマークと、タイマモードの設定時および動作時に自動入時刻か時刻切時刻かを示す「自動」「入」「切」の文字とを有し、これらが各動作状態に応じて適宜に組み合わせて表示される。また、モード表示領域Ｄ２の近傍には電源部１７に用いる電池の容量を示す電池残量表示領域Ｄ４が設けられる。
【００３９】
上述の構成により、各モードをスイッチＫ２〜Ｋ５により選択した後に、スイッチＫ６，Ｋ７を用いて時刻または時間を設定し、その後、スイッチＫ８を押操作して時刻または時間を確定すれば、スイッチＫ２〜Ｋ５により選択したモードで動作する。なお、本実施形態では同時に複数のタイムスケジュールを設定できないように構成している。つまり、１モードのみ選択可能でありかつ当該モードで１タイムスケジュールのみ選択可能になっている。
【００４０】
リモコン送信器１の器体３０の側面には、ワイヤレス信号のチャンネルを選択するためのスライドスイッチのつまみＳ１（図３参照）が露出する、またリモコン送信器１の器体３０の前面下部には蓄光材料からなるアクセサリバーＢ１が設けられている。アクセサリバーＢ１は、照明負荷の消灯などによって周囲が所定照度以下になったときに暫時発光し続けることでリモコン送信器１の在処を示す。
【００４１】
ところで、本実施形態のワイヤレス送信部１は、照明負荷を調光制御する機能を有したリモコン受信器２と組み合わせて用いることができ、照明負荷の調光レベルを指示する機能を備える。調光レベルの調節には、スイッチＫ６，Ｋ７を用いる。スイッチＫ６，Ｋ７は、タイマモード、おやすみモード、留守番モードでは時刻または時間の設定に用いるが、通常モードでは調光レベルの指示に用いられる。指示した調光レベルは、図７に示すように、レベル表示領域Ｄ３に表示される。レベル表示領域Ｄ３には長さの異なる複数本の縦棒状のマークが並設され、各マークは下端が横方向の一直線上に並び、左から右に向かって上端がしだいに高くなるように配置されている。スイッチＫ６，Ｋ７を用いて調光レベルを変化させると、調光レベルが増加するに従って左から順に調光レベルに対応した本数のマークが表示される。
【００４２】
ところで、調光制御を可能とするリモコン受信器２は、図８に示すように、壁スイッチと同様の形状を有している。リモコン受信器２は、金属製である配線器具用の取付枠４１に取り付けられる器体４０を有し、器体４０において施工面から露出する前面には、幅方向の一端縁が枢着されたハンドル４３が設けられる。ハンドル４３はいわゆるピアノ式ハンドルであって枢着された一端縁を中心として他端部が前後に移動するように器体４０に取り付けられている。このハンドル４３は押操作されると押操作毎に器体４０に設けたスイッチを開閉するものであり、ハンドル４３を押操作する場合には通常の壁スイッチとして用いられる。また、ハンドル４３の前面にはリモコン操作器４２（図９（ｂ）参照）が磁石を用いて着脱可能に装着される。
【００４３】
リモコン操作器４２は厚みの小さい直方体状、すなわちカード状に形成され、電源として電池を内蔵している。ハンドル４３にリモコン操作器４２を取着した状態では、ハンドル４３とともに押操作される。リモコン操作器４２にはリモコン送信器１と同様にメンブレンスイッチからなる操作部が設けられており、器体４０から取り外した状態では操作部を押操作することによりリモコン操作器４２から赤外線を媒体とするワイヤレス信号を送信する。器体４０はリモコン受信器２としての機能を内蔵しており、ハンドル４３の側部に設けた受光窓を通してワイヤレス信号を受光すると、リモコン操作器４２の操作内容に応じて照明負荷を制御する。
【００４４】
取付枠４１は周知のものであって、中央部に矩形状の取付窓（図示せず）を有した矩形枠状に形成され、器体４０の側面に突設された取付爪を係止する取付孔４１ａを幅方向の両側部である側枠部４１ｂに備える。また、長手方向の両端部である固定枠部４１ｃには、スイッチボックスに取り付ける際にボックスねじを挿入するためのボックス用孔４１ｄと、施工面に直付けする際に用いる木ねじを挿入するための直付け用孔４１ｅと、器体４０の前面を露出させる窓孔を有し取付枠４１の前面を覆う化粧プレート（図示せず）を取り付ける際に用いるプレート用ねじ孔４１ｆとが設けられる。この種の取付枠４１は周知であるからここでは詳述しない。
【００４５】
ところで、本実施形態のリモコン送信器１を非使用時に載せ置くために、図９（ａ）に示す形状のクレドル５０を用いる。クレドル５０は、上面が開放された合成樹脂成形品のクレドル本体５１を有し、クレドル本体５１の上面に形成されている収納凹所５２にリモコン送信器１の下部を収納できるように形成されている。収納凹所５２を囲む周壁のうち前側の周壁は他の周壁よりも低くなっている。したがって、リモコン送信器１の下部を収納凹所５２に収納すると、前側の周壁内周面と後側の周壁内周面とにリモコン送信器１が当接し、リモコン送信器１を保持することができるようになっている。
【００４６】
収納凹所５２の底面は、図９（ｃ）のように後部の深さが前部よりも深く、前部の第１面５２ａと後部の第２面５２ｂとの間に段差５２ｃを有する形状に形成されている。上述したようにリモコン送信器１は前側の周壁内周面と後側の周壁内周面とで支持されるから、リモコン送信器１の下面は第１面５２ａに載置されることになる。一方、上述したリモコン操作器４２は、幅寸法がリモコン送信器１と同程度であって、図９（ｂ）のように、収納凹所５２に収納可能になっている。ただし、リモコン操作器４２の厚み寸法はリモコン送信器１よりも小さく、リモコン送信器１と同様に第１面５２ａに下端を当接させると、傾き角度が大きくなり転倒しやすくなる。そこで、リモコン操作器４２は下端を第２面５２ｂに当接させた形で収納凹所５２に収納する。この状態で、リモコン操作器４２は段差部５２ｃと後側の周壁内周面とで支持されることになり、前側の周壁内周面と後側の周壁内周面とで支持する場合に比べて傾き角度が小さくなる。
【００４７】
上述したように、クレドル５０に設けた収納凹所５２の底面を２段階の階段状に形成していることにより、リモコン送信器１とリモコン操作器４２とのどちらもに１つのクレドル５０で対応することができ、リモコン送信器１とリモコン操作器４２とを卓上などに立てた形で置くことが可能になる。なお、クレドル５０に立てた状態において、リモコン送信器１のアクセサリバーＢ１はクレドル５０から露出する。
【００４８】
ところで、リモコン送信器１には上述したようにセンサ１６を組み込んでもよい。センサ１６は人感センサと音センサとのいずれかを用いる。人感センサは、人体から放射される熱線を検出する焦電素子を用いるものであり、器体３０の前面の適宜位置に設けられる。一般に、この種の人感センサでは検出する熱線量に変化が生じると所定の保持時間は出力をオンにし、保持時間内に熱線量の変化が生じるとオンの期間をさらに保持時間分延長するように構成してある。
【００４９】
一方、本実施形態では、人感センサ（センサ１６）において人の存在が検知されると制御部１０が照明負荷を点灯させる指示を与え、その後は、制御部１０が規定した時間（たとえば、５分）毎に人感センサを起動して人が検知されているか否かを確認する構成を採用している。人感センサによる人の存在の確認は所定の確認期間内で行い、確認期間内に人が検出されなければ照明負荷を消灯させる指示を与える。
【００５０】
この動作により、室内などに人が存在することが検出されてから規定の時間毎に人の存否が確認され、人が存在している間には照明負荷を点灯させ続けることが可能になる。また、人が暫時動かず熱線量の変化を短時間内では検出できない場合でも確認時間を適宜の長さ（従来の保持時間程度）に設定しておけば、人が存在しているときに不存在と誤認するのを防止できる。
【００５１】
人感センサに代えてセンサ１６として音センサを用いることもできる。この種の音センサには可聴領域のマイクロホンを用いることができるが、目的によっては超音波領域のマイクロホンを用いてもよい。また、適宜の周波数選択フィルタを併用して特定の周波数成分を検出すれば、窓ガラスの破損などの特定の情報を検出することも可能になる。制御部１０は、音センサがリモコン送信器１の周辺において所定の音圧以上の音波を検出すると照明負荷を点灯させる指示を与える。また、人感センサを用いる場合と同様に、制御部１０は規定の時間毎に音波の存在を確認し、確認時に音波の存在が検出されなくなれば照明負荷を消灯させる指示を与える。
【００５２】
リモコン受信器２としては、上述した壁スイッチ型のものに限定されるものではなく、照明器具に組み込まれたリモコン受信器を用いることが可能であり、また調光機能が不要であれば、コードペンダント型のものを用いることもできる。この種のリモコン受信器２は、円筒状の器体を有し、器体の軸方向の一面である上面にはシーリングローゼットに取り付けることができるように一対の引掛栓刃が突設される。器体の下面からは電源コードが引き出され、電源コードが照明器具に接続される。ワイヤレス信号を受信する受光窓は器体の周面の適宜位置に設けることができるが、全方向からワイヤレス信号を受信することができるように下面側に設けることが望ましい。
【００５３】
器体の下面から電源コードを引き出す代わりに引掛栓刃を結合する引掛孔を設けてもよい。このような構成であれば、既製の照明器具にリモコン受信器２を付加することが可能になる。なお、この構成ではワイヤレス信号を受信する受光窓は器体の側面などに設けられる。
【００５４】
上述したリモコン送信器１は一次電池を用いているが、二次電池を用いてもよい。二次電池を用いれば電池交換の頻度が少なくなるから経済的であり、また廃棄物の減少にもなる。器体３０に二次電池を内蔵する場合には、図１０（ａ）に示すように、器体３０の下面に充電端子Ｔ１を露出させる。このリモコン送信器１に対応するクレドル５０には、図１０（ｂ）に示すように、充電端子Ｔ１に接触可能な電極５３を設けておく。クレドル５０にはいわゆるゴールドキャパシタ（大容量の電気二重層コンデンサ）からなる電源と、交流−直流変換を行う充電回路とが内蔵され、充電回路でゴールドキャパシタを充電し、さらにゴールドキャパシタの両端電圧を電極５３に印加するように構成してある。クレドル５０の背面には、図１０（ｃ）に示すように、コンセントに差し込む差込栓刃５４が出入自在に設けられている。差込栓刃５４はクレドル本体５１に対して回転可能であり、非使用時にはクレドル本体５１に収納される。
【００５５】
上述した構成のクレドル５０を用いることにより、リモコン送信器１をクレドル５０に載せ置けば二次電池が充電されることになる。また、ゴールドキャパシタを用いていることにより、コンセントに差し込んでいない状態でもクレドル５０に置けば二次電池にある程度充電することができる。なお、ゴールドキャパシタを用いることは必須ではなく、充電回路のみをクレドル５０に内蔵してもよい。また、リモコン操作器４２の電源としても二次電池を用いる場合には、リモコン操作器４２の二次電池を充電するための電極５５をクレドル５０の第２面５２ｂに付加してもよい。
【００５６】
（実施形態２）
本実施形態に示すリモコン送信器１は、制御部１０がワイヤレス送信部１１から複数種類の負荷Ｌｄにそれぞれ対応するワイヤレス信号を送信させることにより、１つの負荷Ｌｄ（ここでは照明負荷）だけでなく、別の負荷Ｌｄ（ここでは空調機器およびテレビジョン受像機）についても、タイムスケジュールに従って動作を制御可能としたものである。ただし、リモコン送信器１は、空調機器やテレビジョン受像機のリモコン送信器と同様の機能を有するものではなく、空調機器やテレビジョン受像機を制御の対象とするのは通常モード以外に限られる。とくに本実施形態では、留守番モードにおいてのみ空調機器やテレビジョン受像機を制御の対象とすることができるものとする。
【００５７】
リモコン送信器１の操作部１２には、図１１（ａ）に示すように、設定した内容を確定したり確認したりするためのスイッチＫ８の側方に、制御部１０の制御の対象とする負荷Ｌｄを手操作で選択するためのスイッチＫ９（「エアコン／テレビ」と表記してある）が設けられる。制御部１０の制御の対象となる負荷は、留守番モードにおいてスイッチＫ９が押操作される度に、照明負荷と空調機器とテレビジョン受像機、照明負荷および空調機器、照明負荷およびテレビジョン受像機、照明負荷のみ、照明負荷と空調機器とテレビジョン受像機、……の順に切り換わる。制御部１０は、複数種類の負荷Ｌｄをまとめて制御の対象とする際には、タイムスケジュールの指示に従って各負荷Ｌｄにそれぞれ対応したワイヤレス信号をワイヤレス送信部１１から順次送信させる。
【００５８】
ところで、リモコン受信器を備えた多くの電気機器はメーカ毎（あるいは機種毎）に固有のリモコンコードが規定されており、一般に、所望の電気機器に対応したワイヤレス信号を送信可能とするためには、当該電気機器に対応したリモコンコードを設定する必要がある。そこで、本実施形態のリモコン送信器１では、多機種の空調機器およびテレビジョン受像機に対応可能とするために、空調機器とテレビジョン受像機とのそれぞれについて、複数のリモコンコードをメーカと一対一に対応付けて製造時にＥＥＰＲＯＭからなるコード格納部１８（図１２参照）に予め格納し、空調機器やテレビジョン受像機のメーカ名に基づいてコード格納部１８からリモコンコードを呼び出す構成を採用している。ただし、空調機器とテレビジョン受像機とのリモコンコードを設定できるのは、制御部１０が以下に説明する登録モードで動作しているときに限られる。
【００５９】
制御部１０は、スイッチＫ９を所定時間（３秒）押し続けることにより、登録モードに切り換わる。登録モードでは、空調機器に対応するリモコンコードを設定した後、テレビジョン受像機に対応するリモコンコードを設定する。スイッチＫ９を操作して登録モードにすると、まず、液晶表示器３６の画面におけるモード表示領域Ｄ２あるいはレベル表示領域Ｄ３に「エアコン」の文字が表示され、さらに時表示領域Ｄ１にメーカにそれぞれ一対一に対応付けられた数字（たとえば１〜５）が表示される。この状態で、スイッチＫ６，Ｋ７によって空調機器のメーカに対応した数字を選択する。ここで、スイッチＫ８を押操作することにより、空調機器のリモコンコードが設定されるとともに、液晶表示器３６の「エアコン」の表示が消えて「テレビ」の文字が表示され、さらに時表示領域Ｄ１にメーカにそれぞれ一対一に対応付けられた数字が表示される。この状態で、スイッチＫ６，Ｋ７によってテレビジョン受像機のメーカに対応した数字を選択し、さらにスイッチＫ８を押操作することにより、空調機器のリモコンコードが設定されて登録モードが終了する。
【００６０】
また、本実施形態の他の構成として、図１２に示すように、他の電気機器のリモコン送信器（図示せず）からのワイヤレス信号を受信する受信部１９をリモコン送信器１に付加し、受信部１９で受信したワイヤレス信号からリモコンコードを取得する構成とすることもできる。受信部１９は、図１１（ｂ）に示すように器体３０の側面に設けられる。取得されたリモコンコードは、空調機器とテレビジョン受像機とのいずれかに割り当てられてコード格納部１８に格納される。ただし、受信部１９でワイヤレス信号を受信できるのは、制御部１０が登録モードで動作しているときに限られる。このリモコン送信器１では、スイッチＫ９を操作して登録モードにすると、まず、液晶表示器３６の画面におけるモード表示領域Ｄ２あるいはレベル表示領域Ｄ３に「エアコン」の文字が表示される。この状態で、空調機器のリモコン送信器から、器体３０の側面の受信部１９に向けてワイヤレス信号を送信することにより、コード格納部１８に空調機器のリモコンコードが格納される。ここで、スイッチＫ８を押操作すると、空調機器のリモコンコードが確定されるとともに、液晶表示器３６の「エアコン」の表示が消えて「テレビ」の文字が表示される。この状態で、テレビジョン受像機のリモコン送信器から、受信部１９に向けてワイヤレス信号を送信することにより、コード格納部１８にテレビジョン受像機のリモコンコードが格納される。ここで、スイッチＫ８を押操作すれば、テレビジョン受像機のリモコンコードが確定されるとともに、登録モードが終了する。
【００６１】
本実施形態の構成によれば、宅内の負荷Ｌｄのオンとオフとに用いる際に、たとえば、照明負荷とテレビジョン受像機とを選択しておけば、照明負荷とテレビジョン受像機との両方がタイムスケジュールに従ってオンまたはオフされることになりるから、照明負荷とテレビジョン受像機機器とのいずれか一方だけがオンまたはオフされる場合に比べて、空き巣などの侵入者に対する抑止効果が向上する。また、照明負荷と空調機器とを選択しておけば、照明器具がタイムスケジュールに従ってオンまたはオフされることにより空き巣などの侵入者に対する抑止効果を奏するだけでなく、家人の帰宅時刻に合わせて家人の不在時に空調機器を運転させることにより家人の帰宅時の室温を適温にすることもできる。
【００６２】
なお、本実施形態においては照明負荷と空調機器とテレビジョン受像機とのすべての負荷Ｌｄを１つのタイムスケジュールに従って制御する構成を採用しているが、各負荷Ｌｄについてそれぞれ個別にタイムスケジュールを設定し、各負荷Ｌｄがそれぞれ異なるタイムスケジュールに従って動作するようにしてもよい。その他の構成および機能は実施形態１と同様である。
【図面の簡単な説明】
【００６３】
【図１】本発明の実施形態１を示すブロック図である。
【図２】同上の動作説明図である。
【図３】同上の斜視図である。
【図４】同上の分解斜視図である。
【図５】同上の一部破断した斜視図である。
【図６】同上の他例を示し、（ａ）は斜視図、（ｂ）は要部断面図である。
【図７】同上の要部正面図である。
【図８】同上に対応するリモコン受信器を示す斜視図である。
【図９】同上に対応するクレドルを示し、（ａ）はリモコン送信器を載せ置く場合の斜視図、（ｂ）はリモコン操作器を載せ置く場合の斜視図、（ｃ）は一部破断した斜視図である。
【図１０】（ａ）本発明に係るリモコン送信器の他例を示す斜視図、（ｂ）は（ａ）のリモコン送信器に対応するクレドルを示す平面図、（ｃ）はクレドルの背面側の斜視図である。
【図１１】本発明の実施形態２を示す斜視図である。
【図１２】同上のブロック図である。
【図１３】従来のリモコン送信器の構成を示す断面図である。
【符号の説明】
【００６４】
１  リモコン送信器
１０  制御部
１２  操作部
１３  記憶部
１４  時計部
１６  センサ
１７  電源部
３０  器体
３１  ボディ
３２  プリント基板
３２ａ  窓孔
３６  （液晶）表示器
５０  クレドル
Ｋ６，Ｋ７  スイッチ
Ｌｄ  負荷
【図１】
2006238400.tif 000003
【図２】
2006238400.tif 000004
【図３】
2006238400.tif 000005
【図４】
2006238400.tif 000006
【図５】
2006238400.tif 000007
【図６】
2006238400.tif 000008
【図７】
2006238400.tif 000009
【図８】
2006238400.tif 000010
【図９】
2006238400.tif 000011
【図１０】
2006238400.tif 000012
【図１１】
2006238400.tif 000013
【図１２】
2006238400.tif 000014
【図１３】
2006238400.tif 000015